(57)【特許請求の範囲】
【請求項１】
複数のストランド（Ｓｔｒａｎｄ）が平行に位置する第１セット、および
複数のストランドが前記第１セットと交差し平行に位置する第２セットを含み、
前記第１および第２セットの交差角度は、
原水の流れ方向に従って段階的に増加し、
前記原水の前記流れ方向に従って前記第１セットおよび前記第２セットの交差点と非交差点の直径差が減少する、
供給スペーサ。
【請求項２】
前記供給スペーサは、
前記第１および第２セットの交差点と非交差点の直径が互いに異なる、請求項１に記載の供給スペーサ。
【請求項３】
前記供給スペーサは、
第１段および第２段からなり、前記第１段は前記第２段より前記第１セットおよび第２セットの交差角度が小さい、請求項１または２に記載の供給スペーサ。
【請求項４】
前記第１および第２セットの交差点間の距離は、
前記第１段より前記第２段が短い、請求項３に記載の供給スペーサ。
【請求項５】
前記供給スペーサは、
原水の流れ方向に従って前記第１段の前記第１セットおよび前記第２セットの交差点と非交差点の直径差は前記第２段の前記第１セットおよび前記第２セットの交差点と非交差点の直径差より大きい、請求項３に記載の供給スペーサ。
【請求項６】
前記第１および第２セットの交差点のストランド直径が同一である、請求項１から５のいずれか一項に記載の供給スペーサ。
【請求項７】
前記第１および第２セットの非交差点のストランド直径は、
前記第１セットのストランドが前記第２セットのストランドより薄い、請求項１から５のいずれか一項に記載の供給スペーサ。
【請求項８】
請求項１〜７のいずれか１項に記載の供給スペーサを含む、逆浸透フィルタモジュール。
【請求項９】
前記逆浸透フィルタモジュールは、
長さ方向に沿って透過液を収容する開口を含むチューブ、および
前記チューブから外側方向に延び、前記チューブ周縁に巻き取られる一つ以上の逆浸透膜を含み、
前記供給スペーサは、
前記一つ以上の逆浸透膜と接触し、前記チューブ周縁に巻き取られる、請求項８に記載の逆浸透フィルタモジュール。
【発明の詳細な説明】
【技術分野】
【０００１】
本明細書は２０１７年１２月１２日に韓国特許庁に出願された韓国特許出願第１０−２０１７−０１７０３９５号および２０１８年１１月１２日に韓国特許庁に出願された韓国特許出願第１０−２０１８−０１３７９６８号に基づいた優先権の利益を主張し、該韓国特許出願の文献に開示された全ての内容は本明細書の一部として含まれる。
【０００２】
本発明は、供給スペーサおよびこれを含む逆浸透フィルタモジュールに関し、より詳しくは、一つの供給スペーサに原水の流れ方向に従ってストランド（Ｓｔｒａｎｄ）の角度を互いに異なるように形成することによって、差圧減少領域と回収率（Ｒｅｃｏｖｅｒｙ）増加領域が分離されて多機能を有する供給スペーサおよびこれを含む逆浸透フィルタモジュールに関する。
【背景技術】
【０００３】
全世界的に地球温暖化に応じた水不足現象が深刻化している中で代替水源の確保技術である水浄化技術が注目を浴びている。
【０００４】
よって、海水淡水化、水の再利用など、代替水源を活用した次世代水道事業の核心技術である逆浸透膜（Ｒｅｖｅｒｓｅ  ｏｓｍｏｓｉｓ  ｍｅｍｂｒａｎｅ）を用いた水処理工程が水産業市場を主導すると予想されている。
【０００５】
このような逆浸透膜による逆浸透膜透過水は、純粋な水または限りなく純粋な水に近い水になって、医療用の無菌水や人工透析用の精製水、あるいは電子産業の半導体製造用の水など、様々な分野で利用されている。
【０００６】
ここで、逆浸透とは、濃度差のある二つの溶液を半透膜で分離し、一定時間が過ぎれば、濃度の低い溶液が濃度の高い側に移動して一定の水位差を発生させるが、これを浸透現象という。さらに、この過程で発生する水位の差を逆浸透圧という。この原理を利用して水分子だけ半透膜を通過させて水を浄化する装置を逆浸透装置といい、これに入れられる半透膜が逆浸透フィルタモジュールである。
【０００７】
このような逆浸透フィルタモジュールは、中央チューブ、供給スペーサ（Ｆｅｅｄ  ｓｐａｃｅｒ）、逆浸透膜（ＲＯ  ｍｅｍｂｒａｎｅ）、トリコット濾過水路などを含んで構成される。
【０００８】
この中、供給スペーサは原水が流入される通路の役割をする。供給スペーサは網形態の一つの形状に形成される。一つの形状からなる供給スペーサに原水が流入される場合、供給スペーサによる流れ妨害で差圧が発生し、これはエネルギー費用の増加につながるという問題が発生する。
【０００９】
そして、水透過フラックスにより、必然的に逆浸透膜付近では濃度分極現象が発生し、このような現象が激しくなるほど、逆浸透膜付近で浸透圧が高くなって水透過率が低下するという問題が発生する。
【００１０】
これと関連し、一つの供給スペーサを用いて差圧の発生を減少させ、濃度分極現象を緩和させることによって逆浸透フィルタモジュールの効率を増加できる供給スペーサが必要な現状である。
【発明の概要】
【発明が解決しようとする課題】
【００１１】
本発明は、上述した問題を解決するために導き出されたものであり、本発明の目的は、一つの供給スペーサに交差角度が互いに異なる領域を形成し、交差領域と非交差領域の直径比率を異にすることによって、流路の断面積を増加させて差圧を減少させる領域と回収率を増加させる領域が同時に形成された供給スペーサ構造を提供することにある。
【課題を解決するための手段】
【００１２】
本発明の一実施例による供給スペーサは、複数のストランド（Ｓｔｒａｎｄ）が平行に位置する第１セット、および複数のストランドが前記第１セットと交差し平行に位置する第２セットを含み、前記第１および第２セットの交差角度は、原水の流れ方向に従って増加することを特徴とする。
【００１３】
一つの実施例において、前記第１および第２セットの交差角度は、前記原水の流れ方向に従って段階的に増加することを特徴とする。
【００１４】
一つの実施例において、前記供給スペーサは、前記第１および第２セットの交差点と非交差点の直径が互いに異なることを特徴とする。
【００１５】
一つの実施例において、前記供給スペーサは、原水の流れ方向に従って前記第１および第２セットの交差点と非交差点の直径差が減少することを特徴とする。
【００１６】
一つの実施例において、前記供給スペーサは、第１段および第２段からなり、前記第１段は、前記第２段より前記第１セットおよび第２セットの交差角度が小さいことを特徴とする。
【００１７】
一つの実施例において、前記第１および第２セットの交差点間の距離は、前記第１段より前記第２段が短いことを特徴とする。
【００１８】
一つの実施例において、前記供給スペーサは、原水の流れ方向に従って前記第１段の直径差は前記第２段の直径差より大きいことを特徴とする。
【００１９】
一つの実施例において、前記第１および第２セットの交差点のストランド直径が同一であることを特徴とする。
【００２０】
一つの実施例において、前記第１および第２セットの非交差点のストランド直径は、前記第１セットのストランドが前記第２セットのストランドより薄いことを特徴とする。
【００２１】
本発明の一実施例による逆浸透フィルタモジュールは、前記供給スペーサを含むことを特徴とする。
【００２２】
一つの実施例において、前記逆浸透フィルタモジュールは、長さ方向に沿って透過液を収容する開口を含むチューブ、および前記チューブから外側方向に延び、前記チューブ周縁に巻き取られる一つ以上の逆浸透膜を含み、前記スペーサは、前記一つ以上の逆浸透膜と接触し、前記チューブ周縁に巻き取られることを特徴とする。
【発明の効果】
【００２３】
本発明によれば、一つの供給スペーサに交差角度が互いに異なる領域を形成し、交差領域と非交差領域の直径比率を異にすることによって、流路の断面積を増加させて差圧を減少させる領域と回収率を増加させる領域が同時に形成された一つの供給スペーサを用いて複数の効果が発生するようになる。
【図面の簡単な説明】
【００２４】
【図１】本発明の一実施例による供給スペーサの平面図である。
【図２】本発明の一実施例による供給スペーサの斜視図である。
【図３】（ａ）は図１のＡ部分のストランド拡大図であり、（ｂ）は図１のＢ部分のストランド拡大図である。
【発明を実施するための形態】
【００２５】
本発明を添付図面を参照して詳細に説明すれば以下のとおりである。ここで、繰り返される説明、本発明の要旨を不要に濁す恐れのある公知機能および構成に関する詳細な説明は省略することにする。本発明の実施例は当業界で平均的な知識を有する者に本発明をより完全に説明するために提供されるものである。よって、図面での要素の形状および大きさなどはより明確な説明のために誇張されることがある。
【００２６】
明細書の全体にかけて、ある部分がある構成要素を「含む」とする時、これは、特に反する記載がない限り、他の構成要素を除くものではなく、他の構成要素をさらに含んでもよいことをを意味する。
【００２７】
以下では本発明の理解を助けるために好ましい実施例を提示する。但し、下記の実施例は本発明をより容易に理解するために提供されるものに過ぎず、下記の実施例によって本発明の内容が限定されるものではない。
【００２８】
＜供給スペーサ＞
図１は本発明の一実施例による供給スペーサの平面図であり、図２は本発明の一実施例による供給スペーサの斜視図であり、図３（ａ）は図１のＡ部分のストランド拡大図であり、図３（ｂ）は図１のＢ部分のストランド拡大図である。
【００２９】
本発明に係る供給スペーサは、複数のストランド（Ｓｔｒａｎｄ）が平行に位置する第１セットおよび第２セットで構成されることができる。
【００３０】
第１セットは一つ以上のストランドが平行に位置することができ、ここで、ストランドは原水方向と傾斜して位置することができる。そして、第２セットも一つ以上のストランドが平行に位置することができ、第１セットと交差して位置することができる。また、第２セットは第１セットと傾き方向が反対に位置し、第１セットおよび第２セット１０、２０は格子形状として提供されることができる。
【００３１】
さらに、第１セット１０は原水の流れ方向から１０°〜８０°の角度で位置し、第２セット２０は原水の流れ方向から１００°〜１７０°の傾きで位置することができる。例えば、第１セット１０を構成するストランドが原水の流れ方向から３０°傾いている場合、第２セット２０のストランドは原水の流れ方向から１２０°傾いて位置することができる。
【００３２】
この時、第１セット１０と原水の流れ方向との間に形成される角度が１０°未満の場合には、ストランドにより形成される流路の断面積が減少し、供給スペーサの中央部分に層流性流速勾配が発生しないので分極現象が増加するという問題が発生し、８０°超過の場合には、流路の断面積が減少して原水の流動が上下方向に活発に起こって圧力損失が増加するという問題が発生しうる。ここで、流路は、各セットを構成するストランドにより形成されるものであり、供給スペーサの上部および下部に位置する逆浸透膜と各セットとの間の空いた空間を意味する。
【００３３】
そして、本発明に係る供給スペーサは、原水の流れ方向に従って第１および第２セット１０、２０が交差する角度が互いに異なってもよい。より詳細には、第１および第２セット間の角度に応じて差圧を減少させる領域Ａと回収率（Ｒｅｃｏｖｅｒｙ）を増加させる領域Ｂが分離していてもよい。差圧を減少させる領域と回収率を増加させる領域の広さは、その機能を実行できる限り、限定されないことに留意する。
【００３４】
なお、原水と初めて接する部分は、差圧を減少させる領域Ａが位置してもよく、原水の流れ方向に従って回収率を増加させる領域Ｂが位置してもよい。換言すれば、原水の流れ方向に従って第１および第２セット１０、２０の交差角度は原水の流れ方向に従って増加してもよく、角度増加は段階的になされてもよい。したがって、本発明に係る供給スペースは２段からなってもよく、差圧を減少させる領域Ａ（第１段）は第１および第２セットの交差角度ａ１が回収率を増加させる領域Ｂ（第２段）の交差角度ａ２より小さく形成されてもよい。すなわち、差圧を減少させる領域Ａ（第１段）は、第１および第２セットが交差して形成される交差点間の距離ｄ１が回収率を増加させる領域Ｂ（第２段）の交差点間の距離ｄ２より広く形成されてもよい。すなわち、同一の面積を基準に差圧を減少させる領域は交差点の密度が低く、回収率を増加させる領域は交差点の密度が高く形成されてもよい。
【００３５】
本発明に係る供給スペーサは、領域に応じて第１および第２セットを構成するストランドの直径比率が互いに異なるように提供されてもよく、第１および第２セット１０、２０の交差点と非交差点の直径が互いに異なるように提供されてもよい。図２を参照すれば、第１および第２セット１０、２０を形成するストランドは厚さが非対称的に形成されることができ、これは、ストランドの中間に突出する部分が形成されてストランドの直径が厚くなることによって、突出部分と非突出部分の直径が非対称的に形成されることを意味する。
【００３６】
一つの実施例において、差圧を減少させる領域Ａを形成するストランドの直径比率は、回収率を増加させる領域Ｂを形成するストランドの直径比率より大きく形成されてもよい。図３を参照すれば、差圧を減少させる領域Ａを形成するストランドの突出部分の直径Ｗ２と非突出部分の直径Ｗ１との差は、回収率を増加させる領域Ｂを形成するストランドの突出部分の直径Ｗ２と非突出部分の直径Ｗ１'との差より大きく形成されてもよい。すなわち、原水の流れ方向に従って交差点と非交差点のストランドの直径差が減少してもよい。
【００３７】
そして、本発明に係る供給スペーサは、領域に関係なく厚さが同一であることに留意する。すなわち、第１および第２セット１０、２０は突出部が交差して供給スペーサを形成することができ、差圧を減少させる領域と回収率を増加させる領域の全ての突出部の直径Ｗ２は同一に形成されてもよい。より詳細には、本発明に係る第１および第２セット１０、２０は、第１セット１０を形成するストランドの突出部分と第２セット２０を形成するストランドの突出部分が交差することによって供給スペーサの厚さを決定できる。したがって、各領域を形成するストランドの直径比率差は、非突出部分Ｗ１、Ｗ１'によって調節できる。
【００３８】
本発明に係る供給スペーサは、第１および第２セット１０、２０間の角度ａ１、ａ２の調節およびストランドの直径比率を調節することによって、一つの供給スペーサを用いて複数の機能および効果を発生できるという効果がある。
【００３９】
より詳細には、差圧を減少させる領域Ａは、第１および第２セット１０、２０間の角度ａ１を減らし、突出部分Ｗ２と非突出部分Ｗ１の直径差を増加させることによって、供給スペーサの流路を増加させることができる。それにより、原水が供給スペーサを通して流入される場合、広い流路により供給スペーサが原水流れを妨害しないので差圧が減少するという効果が発生する。差圧の発生を減少させることによって、供給スペーサの濃度分極現象を緩和させ、逆浸透フィルタモジュールの効率を増加できる供給スペーサを提供することができる。
【００４０】
そして、回収率を増加させる領域Ｂは、第１および第２セット１０、２０間の角度ａ２を増加させ、突出部分Ｗ２と非突出部分Ｗ１'の直径差を減少させることによって、供給スペーサの流路を減少させて透過水量を増加させることができる。すなわち、同じ圧力で原水を供給スペーサに提供する場合、供給スペーサの流路が減少すれば圧力は増加するようになる。したがって、増加した圧力に応じて回収率が増加するという効果が発生する。
【００４１】
この時、差圧を減少させる領域Ａの非突出部分Ｗ１と回収率を増加させる領域Ｂの非突出部分Ｗ１'は直径が互いに異なってもよい。すなわち、差圧を減少させる領域Ａと回収率を増加させる領域Ｂの直径比率の調節は、非突出部分Ｗ１、Ｗ１'によって調節できる。
【００４２】
したがって、本発明に係る供給スペーサの高さは、差圧を減少させる領域Ａと回収率を増加させる領域Ｂが同一であることを特徴とする。
【００４３】
＜逆浸透フィルタモジュール＞
逆浸透フィルタモジュールは、実際に供給される水を逆浸透圧原理を利用して浄化する役割をするメンブレイン分離装置の構成要素である。逆浸透フィルタモジュールは、逆浸透膜、供給スペーサ、トリコット濾過水路、および長さ方向に沿って透過液を収容する開口を含むチューブを含むことができる。また、１対のテレスコープ防止装置をさらに含むことができるが、これに関する具体的な説明は省略することにする。
【００４４】
一つ以上の逆浸透膜は、浸透現象を利用して水に含まれた異質物を濾過させると共に精製水が効果的に流れるように流路の役割をする。このような一つ以上の逆浸透膜は、チューブから外側方向に延び、チューブ周縁に巻き取られる。
【００４５】
供給スペーサとしては、上述した本発明に係る供給スペーサが提供されることができる。より詳細には、供給スペーサは複数のストランドが平行に位置して形成される第１および第２セットで構成され、第１および第２セット間の角度と直径比率差により一つ以上の領域に分離されることができる。本発明に係る供給スペーサは、前述した供給スペーサと同様であるため、具体的な説明は省略する。
【００４６】
供給スペーサは、外部から原水が流入される通路を形成し、一つの逆浸透膜と他の一つの逆浸透膜との間の間隔を維持させる役割をする。このために、供給スペーサは、一つ以上の逆浸透膜と上側および下側で接触し、一つ以上の逆浸透膜と同様にチューブ周縁に巻き取られるように構成される。
【００４７】
ここで、供給スペーサの材質は特に限定されないが、ポリエチレン（Ｐｏｌｙｅｔｈｙｌｅｎｅ）、ポリ塩化ビニル（Ｐｏｌｙｖｉｎｙｌ  ｃｈｌｏｒｉｄｅ）、ポリエステル（Ｐｏｌｙｓｅｔｅｒ）およびポリプロピレン（Ｐｏｌｙｐｒｏｐｙｌｅｎｅ）のいずれか一つからなることが好ましい。
【００４８】
トリコット濾過水路は、一般に織物形態の構造を有し、逆浸透膜１０を通して精製された水が流れていける空間を作る流路の役割をする。
【００４９】
この時、トリコット濾過水路は、一般に織物形態の構造を有し、逆浸透膜１０を通して精製された水が流れていける空間を作る流路の役割をする。
【００５０】
チューブは、水処理用逆浸透フィルタモジュールの中心に位置し、濾過された水が流入して排出される通路の役割をする。
【００５１】
このために、チューブの外側には、濾過された水が流入されるように所定大きさの孔隙（あるいは開口）が形成されることが好ましい。この時、孔隙は、濾過された水がより効率的に流入されるように一つ以上形成されることが好ましい。
【００５２】
＜比較例＞
従来の供給スペーサは、第１および第２セットの角度、ストランドの距離（交差点間の距離）およびストランドの直径差が全て同一な一つの網形態からなっている。
【００５３】
＜実施例＞
実施例は本発明に係る供給スペーサであって、セットの角度、ストランドの距離（交差点間の距離）およびストランドの直径差が互いに異なる二つの形態からなっている。
【表１】
0006957648.tif 000002
【表２】
0006957648.tif 000003
【００５４】
表１は実施例の第１および第２段の各々の単位長さに対する差圧（Ｐａ／μｍ）を示したものであり、表２は比較例および実施例の各々の単位長さに対する差圧（Ｐａ／μｍ）を示したものである。
【００５５】
先ず、実施例は、差圧を減少させる領域Ａ（第１段）が回収率を増加させる領域Ｂ（第２段）より差圧（Ｐａ／μｍ）が７０％減少したことが分かる。そして、比較例の単位長さ当たりの差圧は０．１２３Ｐａ／μｍであり、実施例の単位長さ当たりの差圧は０．１０５Ｐａ／μｍであって、比較例に比べて８５％減少したことが分かる。
【００５６】
以上では本発明の好ましい実施例を参照して説明したが、当該技術分野の熟練した当業者であれば、下記の特許請求の範囲に記載された本発明の思想および領域から逸脱しない範囲内で本発明を多様に修正および変更できることを理解することができるであろう。
【図１】
0006957648.tif 000004
【図２】
0006957648.tif 000005
【図３（ａ）】
0006957648.tif 000006
【図３（ｂ）】
0006957648.tif 000007